(57)【要約】  本発明は、放送通信システムにおける複数のサービスの受信のための制御情報を伝送する方法及び装置を提供する。上記方法及び装置は、次のフレームで少なくとも一つの異なるサービスの受信のための第１の制御情報を現在フレームの複数のサービスデータに各々挿入し、第１の制御情報を含むフレームを無線ネットワークを通じて伝送する。従って、本発明による受信器は、サービスを変更しても変更されたサービスのフレーム内に位置及び復号化に必要な制御情報を容易に獲得でき、別途の制御チャンネルの読み出しせずにサービスの変更が可能になる。【選択図】図５
2011509623.tif 000002
【特許請求の範囲】
【請求項１】
放送通信システムにおける制御情報を伝送する方法であって、
次のフレームで少なくとも一つの異なるサービスの受信のための第１の制御情報を現在フレームの複数のサービスデータに各々挿入するステップと、
前記第１の制御情報を含むフレームを無線ネットワークを通じて伝送するステップと、を有することを特徴とする方法。
【請求項２】
前記第１の制御情報を含むフレームは、複数のサービスに対する前記複数のサービスデータを含み、前記第１の制御情報を含むフレームの前部には前記現在フレームで提供される前記複数のサービスデータの受信のための第２の制御情報を含むことを特徴とする請求項１に記載の方法。
【請求項３】
前記放送通信システムを通じて提供される複数のサービスの個数が所定の個数以下である場合、前記第１の制御情報は、前記次のフレームで提供される複数のサービス全てに対するスケジューリング情報を含むことを特徴とする請求項１に記載の方法。
【請求項４】
前記放送通信システムを通じて提供される複数のサービスの個数が所定の個数より大きい場合、前記複数のサービスはプライマリサービスとセカンダリサービスに区分され、前記プライマリサービスに属する複数のサービスデータのうち、特定のサービスデータに前記第１の制御情報として挿入される情報は前記複数のサービス全てに対するスケジューリング情報を含むことを特徴とする請求項１に記載の方法。
【請求項５】
前記プライマリサービスに属する複数のサービスデータのうち、前記特定のサービスデータを除いた残りのサービスデータに各々前記第１の制御情報として挿入される情報は、前記プライマリサービスに属する複数のサービスデータ全てに対するスケジューリング情報を含むことを特徴とする請求項４に記載の方法。
【請求項６】
前記セカンダリサービスに属する複数のサービスデータに各々前記第１の制御情報として挿入される情報は、該当セカンダリサービスのサービスデータと前記特定のサービスデータに対するスケジューリング情報を含むことを特徴とする請求項４に記載の方法。
【請求項７】
前記放送通信システムを通じて提供される複数のサービスは特定サービスを共通に含む複数のグループに区分され、前記特定サービスのサービスデータに前記第１の制御情報として挿入される情報は、前記複数のサービス全てに対するスケジューリング情報を含むことを特徴とする請求項１に記載の方法。
【請求項８】
各グループで前記特定サービスを除いた残りのサービスのサービスデータに各々前記第１の制御情報として挿入される情報は、該当グループのサービスに対するスケジューリング情報を含むことを特徴とする請求項７に記載の方法。
【請求項９】
放送通信システムにおける制御情報を受信する方法であって、
次のフレームで少なくとも一つの異なるサービスの受信のための第１の制御情報が複数のサービスデータに各々挿入された現在フレームを受信するステップと、
サービスの変更時に前記受信された現在フレームから前記第１の制御情報を獲得するステップと、
前記第１の制御情報を用いて前記変更されたサービスのサービスデータを受信するステップと、を有することを特徴とする方法。
【請求項１０】
前記第１の制御情報を含むフレームは、複数のサービスに対する前記複数のサービスデータを含み、前記第１の制御情報を含むフレームの前部には前記現在フレームで提供される前記複数のサービスデータの受信のための第２の制御情報を含むことを特徴とする請求項９に記載の方法。
【請求項１１】
前記第１の制御情報を獲得するステップは、
前記サービスの変更時に前記受信された現在フレームで前記サービスの変更前に受信したサービスデータの復号化を完了するステップと、
前記復号化されたサービスデータから前記第１の制御情報を獲得するステップと、を含むことを特徴とする請求項９に記載の方法。
【請求項１２】
前記放送通信システムを通じて提供される複数のサービスの個数が所定の個数より大きい場合、前記複数のサービスはプライマリサービスとセカンダリサービスに区分され、
前記第１の制御情報を獲得するステップは、
前記複数のサービスの個数を確認し、前記複数のサービスの個数が所定の個数より大きい場合に、前記復号化されたサービスデータから前記第１の制御情報として前記プライマリサービスの中で特定サービスの受信のための第１のスケジューリング情報を獲得するステップを更に含むことを特徴とする請求項１１に記載の方法。
【請求項１３】
前記変更されたサービスのサービスデータを受信するステップは、
前記現在フレームはフレームｎ、前記次のフレームはフレームｎ＋１とする場合、
前記第１の制御情報に基づいて前記フレームｎ＋１で前記特定サービスのサービスデータを復号化するステップと、
前記復号化された特定サービスのサービスデータから前記変更されたサービスの受信のための第２のスケジューリング情報を獲得するステップと、
前記第２のスケジューリング情報に基づいてフレームｎ＋２で前記変更されたサービスのサービスデータを受信するステップと、を更に含むことを特徴とする請求項１２に記載の方法。
【請求項１４】
前記放送通信システムを通じて提供される複数のサービスが特定サービスを共通に含む複数のグループに区分される場合、
前記第１の制御情報を獲得するステップは、
前記変更されたサービスが前記復号化されたサービスデータの該当サービスと同一のグループ内に存在するか否かを判定し、前記変更されたサービスが前記同一のグループ内に存在しないと判定された場合には、前記復号化されたサービスデータから前記第１の制御情報として特定サービスを受信するための第１のスケジューリング情報を獲得するステップと、を更に含むことを特徴とする請求項１１に記載の方法。
【請求項１５】
前記変更されたサービスのサービスデータを受信するステップは、
前記現在フレームはフレームｎ、前記次のフレームはフレームｎ＋１とする場合、
前記第１の制御情報に基づいて前記フレームｎ＋１で前記特定サービスのサービスデータを復号化するステップと、
前記復号化された特定サービスのサービスデータから前記変更されたサービスの受信のための第２のスケジューリング情報を獲得するステップと、
前記第２のスケジューリング情報に基づいてフレームｎ＋２で前記変更されたサービスのサービスデータを受信するステップと、を更に含むことを特徴とする請求項１４に記載の方法。
【請求項１６】
放送通信システムにおける制御情報を伝送する装置であって、
次のフレームで少なくとも一つの異なるサービスの受信のための第１の制御情報を生成して現在フレームの複数のサービスデータに各々挿入する制御情報処理部と、
前記第１の制御情報が挿入されたサービスデータを所定フォーマットのフレームで構成して無線ネットワークを通じて伝送する送信部と、を備えることを特徴とする装置。
【請求項１７】
前記制御情報処理部は、前記現在フレームで前記複数のサービスデータの受信のための第２の制御情報を生成して前記第１の制御情報が挿入されたフレームの前部に挿入することを特徴とする請求項１６に記載の装置。
【請求項１８】
前記放送通信システムを通じて提供される複数のサービスの個数が所定の個数以下である場合、前記第１の制御情報は、前記次のフレームで提供される複数のサービス全てに対するスケジューリング情報を含むことを特徴とする請求項１６に記載の装置。
【請求項１９】
前記放送通信システムを通じて提供される複数のサービスの個数が所定の個数より大きい場合、前記複数のサービスはプライマリサービスとセカンダリサービスに区分され、前記プライマリサービスに属する複数のサービスデータのうち、特定のサービスデータに前記第１の制御情報として挿入される情報は前記複数のサービス全てに対するスケジューリング情報を含むことを特徴とする請求項１６に記載の装置。
【請求項２０】
前記プライマリサービスに属する複数のサービスデータのうち、前記特定のサービスデータを除いた残りのサービスデータに各々前記第１の制御情報として挿入される情報は、前記プライマリサービスに属する複数のサービスデータ全てに対するスケジューリング情報を含むことを特徴とする請求項１９に記載の装置。
【請求項２１】
前記セカンダリサービスに属する複数のサービスデータに各々前記第１の制御情報として挿入される情報は、該当セカンダリサービスのサービスデータと前記特定のサービスデータに対するスケジューリング情報を含むことを特徴とする請求項１９に記載の装置。
【請求項２２】
前記放送通信システムを通じて提供される複数のサービスは特定サービスを共通に含む複数のグループに区分され、前記特定サービスのサービスデータに前記第１の制御情報として挿入される情報は、前記複数のサービス全てに対するスケジューリング情報を含むことを特徴とする請求項１６に記載の装置。
【請求項２３】
各グループで前記特定サービスを除いた残りのサービスのサービスデータに各々前記第１の制御情報として挿入される情報は、該当グループのサービスに対するスケジューリング情報を含むことを特徴とする請求項２２に記載の装置。
【請求項２４】
放送通信システムにおける制御情報を受信する装置であって、
次のフレームで少なくとも一つの異なるサービスの受信のための第１の制御情報が複数のサービスデータに各々挿入された現在フレームを受信するフレーム受信部と、
前記現在フレームでサービスの受信中に他のサービスへのサービス変更が発生するか否かを判定するサービス変更判定部と、
前記サービスの変更時に前記受信された現在フレームから前記第１の制御情報を獲得し、前記第１の制御情報を用いて前記変更されたサービスのサービスデータを受信するサービスデコーダと、を備えることを特徴とする装置。
【請求項２５】
前記第１の制御情報を含むフレームは、複数のサービスに対する前記複数のサービスデータを含み、前記第１の制御情報を含むフレームの前部には前記現在フレームで提供される前記複数のサービスデータの受信のための第２の制御情報を含むことを特徴とする請求項２４に記載の装置。
【請求項２６】
前記サービスデコーダは、前記サービスの変更時に前記受信された現在フレームで前記サービスの変更前に受信したサービスデータの復号化を完了し、前記復号化されたサービスデータから前記第１の制御情報を獲得することを特徴とする請求項２４に記載の装置。
【請求項２７】
前記放送通信システムを通じて提供される複数のサービスの個数が所定の個数より大きい場合、前記複数のサービスはプライマリサービスとセカンダリサービスに区分され、
前記サービスデコーダは、前記複数のサービスの個数が所定の個数より大きい場合、前記復号化されたサービスデータから前記第１の制御情報として前記プライマリサービスの中で特定サービスの受信のための第１のスケジューリング情報を獲得するように更に構成されることを特徴とする請求項２６に記載の装置。
【請求項２８】
前記現在フレームはフレームｎ、前記次のフレームはフレームｎ＋１とする場合、
前記サービスデコーダは、前記第１の制御情報に基づいて前記フレームｎ＋１で前記特定サービスのサービスデータを復号化し、前記復号化された特定サービスのサービスデータから前記変更されたサービスの受信のための第２のスケジューリング情報を獲得し、前記獲得された第２のスケジューリング情報に基づいてフレームｎ＋２で前記変更されたサービスのサービスデータを受信するように更に構成されることを特徴とする請求項２７に記載の装置。
【請求項２９】
前記放送通信システムを通じて提供される複数のサービスが特定サービスを共通に含む複数のグループに区分される場合、
前記サービスデコーダは、前記変更されたサービスが前記復号化されたサービスデータの該当サービスと同一のグループ内に存在するか否かを判定し、前記変更されたサービスが前記同一のグループ内に存在しないと判定された場合には、前記復号化されたサービスデータから前記第１の制御情報として特定サービスを受信するための第１のスケジューリング情報を獲得するように更に構成されることを特徴とする請求項２６に記載の装置。
【請求項３０】
前記現在フレームはフレームｎ、前記次のフレームはフレームｎ＋１とする場合、
前記サービスデコーダは、前記第１の制御情報に基づいて前記フレームｎ＋１で前記特定サービスのサービスデータを復号化し、前記復号化された特定サービスのサービスデータから前記変更されたサービスの受信のための第２のスケジューリング情報を獲得し、前記獲得された第２のスケジューリング情報に基づいてフレームｎ＋２で前記変更されたサービスのサービスデータを受信するように更に構成されることを特徴とする請求項２９に記載の装置。
【発明の詳細な説明】
【技術分野】
【０００１】
本発明は、放送通信システムにおける制御情報の送受信方法及び装置に関するもので、特に、放送通信システムにおいて複数のサービスで構成されるフレームに対する制御情報を送受信する方法及び装置に関する。
【背景技術】
【０００２】
２１世紀の情報化社会における放送通信サービスは、本格的なデジタル化、多チャンネル化、広帯域化、高品質化の時代を迎えている。特に、最近、高画質デジタルＴＶ（ｔｅｌｅｖｉｓｉｏｎ）及びＰＭＰ（Ｐｏｒｔａｂｌｅ  Ｍｕｌｔｉｍｅｄｉａ  Ｐｌａｙｅｒ）、携帯放送デバイスの普及が拡大するに伴ってデジタル放送サービスでも多様な受信方式の支援に対する要求が増大している。
【０００３】
このような要求によって、ヨーロッパ向けの第２世代の地上波デジタル放送規格であるＤＶＢ−Ｔ２（Ｄｉｇｉｔａｌ  Ｖｉｄｅｏ  Ｂｒｏａｄｃａｓｔｉｎｇ−Ｔｅｒｒｅｓｔｒｉａｌ）では、受信方式を従来の家庭用デジタル受信アンテナを再使用する受信方式、容量増大のために多重アンテナを使用する受信方式、及び携帯用移動端末のための受信方式の３つの方式に対するそれぞれの標準を進めている。第１世代の地上波デジタル放送規格であるＤＶＢ−Ｔ／Ｈが固定型／移動型受信方式の２つのみを考慮することに比べて、ＤＶＢ−Ｔ２は、多重アンテナを用いる方式に対して追加的に考慮しており、物理階層の構造及びこの物理階層の構造による制御情報の変更を主な標準化作業として考慮している。
【０００４】
ＤＶＢ−Ｔ２の物理階層構造において、制御チャンネルは、物理階層での伝送方式に対する制御メッセージを伝送するチャンネルであって、伝送される信号の基本単位をフレームとすれば、一つのフレームは複数のサービスで構成され、各サービスに対するサービスインデックス、位置情報、変調方式／符号化率、及びセルＩＤ（ｃｅｌｌ  ＩＤ）などを含む。制御チャンネルは、フレームごとにサービス構成及び関連情報が変わり得るので、フレームごとにデータチャンネルとは別途に伝送される。
【０００５】
図１は、従来技術による第１世代放送システムにおけるＦＦ（Ｆｉｘｅｄ  Ｆｒｅｑｕｅｎｃｙ）モードに従って放送サービスを送受信する方式を示す。
【０００６】
図１を参照すると、送信器１０２は複数のＲＦ（Ｒａｄｉｏ  Ｆｒｅｑｕｅｎｃｙ）帯域ごとに各々異なる放送サービスを伝送し、受信器１０４は希望するサービスを含むＲＦにチューニング（ｔｕｎｉｎｇ）して希望するサービスを受信する。例えば、受信器１０４は、サービス１を受信しようとする場合に、ＲＦ１にチューニングして制御チャンネルを通じてサービス１に関する位置情報及び変調／符号化方式のような情報を得てサービス１を復号化する。
【０００７】
図２は、従来の第２世代放送通信システムにおける放送サービスを送受信する方式を示す。
【０００８】
図２を参照すると、送信器２０２は、複数のＲＦを連動して既存の長いパケットで構成されるサービス（図１の各サービスに対応する）を複数の短いサブスロットに分けて複数のＲＦ帯域を通じて伝送する。受信器２０４は、制御情報を通じて希望するサービスを含む各ＲＦ帯域での位置を追跡して該当サービスを受信する。サービス１を受信する場合に、受信器２０４は、時間領域でサブスロットを受信できる順に、即ちＲＦ１、ＲＦ４、ＲＦ３、ＲＦ２の順に該当サービスを復号する。従って、同一の量のサービスを送信しても、複数の周波数を通じて小さい量のデータを伝送する場合は、サービスごとに固定されたＲＦを用いて多い量のデータを一度に伝送する場合に比べて、時間及び周波数ダイバシティ利得を予想することができる。上記のようなフレーム構成方式は“ＴＦＳ（Ｔｉｍｅ−Ｆｒｅｑｕｅｎｃｙ  Ｓｌｉｃｉｎｇ）”と称する。
【０００９】
図３は、従来のＴＦＳによる伝送フレーム規格を示す。
【００１０】
図３には、４個のＲＦに１０個のサービスパケット（ｐａｃｋｅｔ）が伝送される構造を示している。このようなＴＦＳフレームは、１個のＲＦに全てのサービスパケットを割り当て、隣接ＲＦには全てのサービスパケットに対して循環シフト（ｃｙｃｌｉｃ  ｓｈｉｆｔ）の形態を配置することで構成することができる。図３に示すように、４個のＲＦ帯域を使用した場合には、一つのサービスが４個のＲＦ（ＲＦ１〜ＲＦ４）を通じて転送されるため、各サービスは、基本的に４個のサブスロットで構成されるが、サービス３のように循環シフトの遂行によって５個のサブスロットで構成することもできる。
【００１１】
図３に示すように、Ｐ１信号とＰ２信号は、各フレームの開始部分で伝送される。Ｐ１信号２０１は時間同期を合せるためのプリアンブル（ｐｒｅａｍｂｌｅ）として使用でき、Ｐ２信号２０３は現在又は次のフレームに含まれるサービスの各々に対する制御情報を伝送する。制御情報は、各サービスのデータがフレーム内でどの時点から開始され、どの時点で終了するかに関する位置情報を指示する。サービスを継続して受信する中にサービスチャンネルを変更するようになると、受信器は、変更されたサービスに対する制御情報を獲得しなければ変更されたサービスを受信することができない。
【００１２】
図４は、従来技術によるサービスの変更を示す。時間領域で複数のフレーム、即ちフレームｎ、フレームｎ＋１、…、フレームｎ＋３が伝送される場合に、各フレームは、フレーム初期にＰ２信号３０３〜３１１と、その後に引き続く複数のサービスからなるトラフィック信号とを含む。このフレームは、図１又は図２、３のように、ＦＦモード又はＴＦＳモードで構成することができる。ここで、説明の簡素化のためにＦＦモードでの伝送を考慮する。また、説明の便宜上、Ｐ２信号は、現在フレームに対する制御情報を示すものと見なす。
【００１３】
図４において、受信器は、フレームｎでサービスを受信する途中で他のサービスにチャンネルを変更する場合（３０１）、次のフレームで変更されたサービスの受信のためにＰ２信号を復号化する。このとき、Ｐ２信号３０５は、フレームｎ＋１でのスケジューリング情報を表すため、Ｐ２信号３０５に対する復号化が失敗した場合には、受信器はフレームｎ＋１での変更されたサービスを受信することができない。また、連続して信号Ｐ２の復号化が失敗する場合、即ちＰ２信号３０５だけでなくフレームｎ＋２のＰ２信号３０７に対しても復号化を失敗する場合、受信器は、フレームｎ＋３のＰ２信号３０９から獲得した制御情報３１３を用いてフレームｎ＋３で変更されたサービスを受信する。
【００１４】
上記のように、従来技術ではサービス変更が発生すると、Ｐ２信号の復号化が成功したか否かによってサービス変更時点から変更されたサービスの受信時点までかかるザッピング（ｚａｐｐｉｎｇ）時間が長くなるという問題が発生する。従って、受信器でサービスの変更が発生した場合に、この変更されたサービスを効率的に受信できるように、変更されたサービスに関する制御情報を送受信するための方案が要求される。
【発明の概要】
【発明が解決しようとする課題】
【００１５】
本発明は、上記従来技術の問題点に鑑みてなされたものであって、その目的は、放送通信システムにおけるサービス受信のための制御情報を効率的に送受信する方法及び装置を提供することにある。
本発明の他の目的は、放送通信システムにおいてサービス受信のための制御情報をサービスデータに挿入して効率的に送受信する方法及び装置を提供することにある。
また、本発明の目的は、放送通信システムにおいて、サービスの変更が発生した場合に変更されたサービスを効率的に受信できるように、変更されたサービスに対する制御情報を送受信する方法及び装置を提供することにある。
【課題を解決するための手段】
【００１６】
上記目的を達成するためになされた本発明の一特徴による方法は、放送通信システムにおける制御情報を伝送する方法であって、次のフレームで少なくとも一つの異なるサービスの受信のための第１の制御情報を現在フレームの複数のサービスデータに各々挿入するステップと、前記第１の制御情報を含むフレームを無線ネットワークを通じて伝送するステップと、を有する。
【００１７】
本発明の他の特徴による方法は、放送通信システムにおける制御情報を受信する方法であって、次のフレームで少なくとも一つの異なるサービスの受信のための第１の制御情報が複数のサービスデータに各々挿入された現在フレームを受信するステップと、サービスの変更時に前記受信された現在フレームから前記第１の制御情報を獲得するステップと、前記第１の制御情報を用いて前記変更されたサービスのサービスデータを受信するステップと、を有する。
【００１８】
上記目的を達成するためになされた本発明の一特徴による装置は、放送通信システムにおける制御情報を伝送する装置であって、次のフレームで少なくとも一つの異なるサービスの受信のための第１の制御情報を生成して現在フレームの複数のサービスデータに各々挿入する制御情報処理部と、前記第１の制御情報が挿入されたサービスデータを所定フォーマットのフレームで構成して無線ネットワークを通じて伝送する送信部と、を備える。
【００１９】
本発明の他の特徴による装置は、放送通信システムにおける制御情報を受信する装置であって、次のフレームで少なくとも一つの異なるサービスの受信のための第１の制御情報が複数のサービスデータに各々挿入された現在フレームを受信するフレーム受信部と、前記現在フレームでサービスの受信中に他のサービスへのサービス変更が発生するか否かを判定するサービス変更判定部と、前記サービスの変更時に前記受信された現在フレームから第１の制御情報を獲得し、前記第１の制御情報を用いて前記変更されたサービスのサービスデータを受信するサービスデコーダと、を備える。
【発明の効果】
【００２０】
本発明によれば、一つ又は複数のＲＦを連動して複数のサービスで構成されるフレームに対する制御情報を効率的に送受信することによって、サービスの変更時に変更されたサービスを迅速に受信することができる効果を有する。
【図面の簡単な説明】
【００２１】
【図１】従来の第１世代放送システムによるＦＦモードで放送サービスを送受信する方法を示す図である。
【図２】従来の第２世代放送通信システムにおける放送サービスを送受信する方法を示す図である。
【図３】従来によるＴＦＳの伝送フレーム規格を示す図である。
【図４】従来技術によるサービスの変更を示す図である。
【図５】本発明の第１の実施形態による複数のサービスが伝送される場合、サービス種類別に各サービスを通じて伝送される制御情報の構成を示す図である。
【図６】本発明の第１の実施形態によるサービスの変更時に既存のサービスからターゲットサービスへの変更を示す図である。
【図７】本発明の第２の実施形態による複数のサービスが伝送される場合、サービス種類別に各サービスを通じて伝送される制御情報の構成を示す図である。
【図８】本発明の第２の実施形態によるサービスの変更時に既存のサービスからターゲットサービスへの変更を示す図である。
【図９】本発明が適用される放送通信システムにおける信号Ｐ２を伝送する送信器の動作を示すフローチャートである。
【図１０】本発明が適用される放送通信システムにおける信号Ｐ２を受信する受信器の動作を示すフローチャートである。
【図１１】本発明の第１の実施形態による制御情報を伝送する送信器の動作を示すフローチャートである。
【図１２】本発明の第１の実施形態による制御情報を受信する受信器の動作を示すフローチャートである。
【図１３】本発明の第２の実施形態による制御情報を伝送する送信器の動作を示すフローチャートである。
【図１４】本発明の第２の実施形態による制御情報を受信する受信器の動作を示す図である。
【図１５】本発明の第１の実施形態による送信器の構造を示すブロック構成図である。
【図１６】本発明の第２の実施形態による送信器の構造を示すブロック構成図である。
【図１７】本発明による受信器の構造を示すブロック構成図である。
【発明を実施するための形態】
【００２２】
以下、本発明を実施するための形態の具体例を、図面を参照しながら詳細に説明する。
【００２３】
下記の説明で、本発明に関連した公知の機能又は構成に関する具体的な説明が本発明の要旨を不明瞭にすると判断された場合に、その詳細な説明を省略する。
【００２４】
本発明は、受信を希望するサービスチャンネルがユーザーによって変更されてサービス変更が発生する場合、受信器が制御情報を含む信号Ｐ２に対する復号化が失敗しても次のフレームに対する制御情報を獲得可能にするシグナリング技法を提供する。このために、具体的に、フレームに対するスケジューリング情報を示す制御情報をフレームのサービスデータに含めて伝送するインバンド（ｉｎ−ｂａｎｄ）シグナリング技法を提案する。
【００２５】
本発明のインバンドシグナリングは、サービスの種類をアンカー（ａｎｃｈｏｒ）サービス、プライマリ（ｐｒｉｍａｒｙ）サービス、セカンダリ（ｓｅｃｏｎｄａｒｙ）サービスに分けられ、サービス種類別に各サービスを通じて伝送される制御情報の構成を異なるようにする。また、プライマリサービスの個数を指定することによって、フレームを通じて伝送される総サービスの数を予め定められたプライマリサービスの個数と比較した結果に基づいてシグナリングを遂行する。
【００２６】
図５は、本発明の第１の実施形態による複数のサービスが伝送される場合、サービス種類別に各サービスを通じて伝送される制御情報の構成を示す。
【００２７】
図５を参照すると、総Ｎ＋Ｋ個のサービスがフレームを通じて伝送されている場合、Ｎ個（１〜Ｎとして表記）のプライマリサービス４１０と、Ｋ個（Ｎ＋１〜Ｎ＋Ｋとして表記）のセカンダリサービス４３０とが存在し、Ｎ個のプライマリサービス４１０のうちの一つのサービスがアンカーサービス４１０ａに指定されている。
【００２８】
図５に示すＮ個のプライマリサービス間の矢印でわかるように、Ｎ個のプライマリサービスは、制御情報として各サービスごとに自身を包含する全てのプライマリサービスに対するスケジューリング情報を含む。Ｎ個のプライマリサービスのうちの一つはアンカーサービスに指定され、このアンカーサービスは、全てのプライマリサービスに対するスケジューリング情報以外に追加的なＫ個のセカンダリサービスに対するスケジューリング情報も含む。一方、セカンダリサービスは自身を包含するアンカーサービスに対するスケジューリング情報を伝送する。
【００２９】
従って、伝送される全体サービスの数がＮ個以下であると、伝送される全てのサービスは、プライマリサービスとなり、各サービスは全てのサービスに対するスケジューリング情報を含んで伝送される。一方、伝送されるサービスの総数がＮ個を超える場合、即ちＮ＋Ｋ個となってプライマリサービス以外に追加的にＫ個のセカンダリサービスが存在する場合には、Ｎ個のプライマリサービスの中で一つのサービスをアンカーサービスに決定し、アンカーサービスがプライマリサービスとセカンダリサービスを包含する全てのサービスに対する制御情報を含む。
【００３０】
図６は、本発明の第１の実施形態によるサービス変更時に既存のサービスからターゲットサービスへの変更を示す。ここでは、サービスがＴＤＭチャンネルであるＰＬＰ（Ｐａｃｋｅｔ  Ｌａｙｅｒ  Ｐｉｐｅ）を通じて伝送される場合を示し、ターゲット／アンカーＰＬＰはターゲット／アンカーサービスを意味する。しかしながら、本発明はＰＬＰが使用される場合に限定されるものではなく、異なる種類のサービスにも適用可能であることは自明である。
【００３１】
図６において、Ｐ２信号４０３〜４１１は現在フレームに対する制御情報を含み、サービスデータに含まれた制御情報は、次のフレームに対するスケジューリング情報を示すと仮定する。プライマリサービスの数Ｎは３０であると仮定する。そして、フレームｎ＋１、ｎ＋２のＰ２信号４０５、４０７に対する復号化は失敗したと仮定する。
【００３２】
まず、伝送されるサービスの数がプライマリサービスの全てであるＮ以下である場合には、フレームｎでサービス変更が発生すると（４０１）、フレームｎで受信しているサービスがプライマリサービスとなるので、受信器は、プライマリサービスの復号化を通じてターゲットサービスに対する制御情報を獲得する。即ち、フレームｎでインバンドシグナリングを通じて獲得された制御情報が次のフレームに対する制御情報を示すため、受信器は、フレームｎ＋１で変更されたサービスをまさに受信することができる。その結果、２個のＰ２信号４０５、４０７に対する復号化が連続して失敗した場合に、Ｐ２信号のみに依存する既存のシグナリング方式より２個のフレームが更に速いザッピング時間を達成でき、Ｐ２信号４０５に対する復号が失敗し、次のＰ２信号４０７の復号化が成功してもサービス変更が発生した後にすぐフレームｎ＋１で変更されたサービスの受信が可能になり、図４のようにＰ２信号のみに依存する既存のシグナリング方式より一つのフレームが更に速いザッピング時間を達成することができる。
【００３３】
また、伝送されるサービスの数がＮを超過すると、受信器は、フレームｎで既存のサービスの復号化を通じてアンカーサービスに対する制御情報を獲得し、フレームｎ＋１で該当アンカーサービスを受信してターゲットサービスに対する制御情報を獲得する。従って、フレームｎ＋２から変更されたサービスに対する受信が可能になる。
【００３４】
一方、ザッピング時間の観点で非常に優れた性能を有するインバンドシグナリングは、各サービスが全てのサービスに対する制御情報を含む場合である。しかしながら、このような方式は非常に大きいオーバーヘッドを要求するため、収容可能なオーバーヘッドを満たすことができるサービスの数は制約的である。例えば、３０個のサービスを考慮して、一個のサービスに対するオーバーヘッドが５０ビットであると仮定する。３０個のサービスに対して、各サービスが全てのサービスの制御情報を含む場合、総オーバーヘッドの量は３０＊（３０＊５０）＝４５０００ビットとなり、そのオーバーヘッドの比率が０．１２５であり、オーバーヘッド比率が収容可能なオーバーヘッド比率値０．２５以下を満足すると仮定する。２倍のサービスに拡張して見ると、即ち６０個のサービスを支援すると仮定すれば、６０＊（６０＊５０）＝１８００００ビットからオーバーヘッド比率が０．５となり、しきい値を超えるようになる。従って、オーバーヘッドしきい値を満たす支援可能なサービスの数は、最大４２個程度となる。
【００３５】
従って、ザッピング時間において良い性能が得られるように各サービスが多数のサービスの制御情報を含むが、できるだけ多くの数のサービスを支援できるシグナリング技法が必要である。
【００３６】
図７は、本発明の第２の実施形態による複数のサービスが転送される場合にサービスの種類別に各サービスを通じて伝送される制御情報の構成を示す。伝送される全体Ｋ個のサービスのうち、インバンドシグナリングに支援可能なサービスの数は、２Ｎ＋１である。この２Ｎ＋１個のサービスは、一個のプライマリサービスと２Ｎ個のセカンダリサービスで構成される。２Ｎ＋１個のサービスのうち、指定された一個のプライマリサービスは全てのサービスに対する制御情報を含む。
【００３７】
図７を参照すると、２Ｎ＋１個のサービスは２個のグループ５１０、５３０に分けられる。このとき、プライマリサービス５１０ａは、これらグループ共に含まれて２個のグループの接続ポイントとなる。また、２Ｎ＋１個のサービスをサービスインデックスのサイズに従ってサービスを順に整列したときに最も小さいインデックスを有するサービスから順に最初のＮ個のセカンダリサービスがグループ１（５１０）に含まれ、その次のＮ個のセカンダリサービスがグループ２（５３０）に含まれ、インデックス２Ｎ＋１のサービスはプライマリサービス５１０ａとして各グループに全て含まれる。従って、それぞれのグループは、１個のプライマリサービスとＮ個のセカンダリサービスで構成され、Ｎ＋１個のサービスからなる。各サービスのデータは、該当サービスが属するグループの全てのサービスに対するスケジューリング情報を有しており、プライマリサービスがグループごとに重複して含まれるため、プライマリサービスは、結果的に全てのグループに属する全てのサービスに対する制御情報を含む。
【００３８】
つまり、各グループに属するＮ個のセカンダリサービスは、該当グループに属する全てのサービスに対するスケジューリング情報を有する。即ち、各セカンダリサービスは、プライマリサービス及び該当グループに属する自身を包含する全てのセカンダリサービスの制御情報を含む。一方、プライマリサービスは、全てのグループに属する自身を含む全てのサービスに関する制御情報を有する。
【００３９】
本発明の第１の実施形態である図５に示した構成と比較できるように、図７に示す第２の実施形態でグループ２に属するサービスインデックスがＮ＋３であるサービスを考慮してみる。第１の実施形態では、サービスインデックスＮ＋３であるサービスがＮ個のサービスで構成されるグループ内の一つのサービスにサービスが変更される場合、或いはＮ個のサービスで構成されるグループ以外の任意の一つのサービスにサービスが変更される場合、受信器は、アンカーサービスを通じてターゲットサービスの制御情報を獲得しなければならない。一方、第２の実施形態では、例えば、グループ２に属するサービスインデックスがＮ＋３であるサービスでグループ１に含まれるサービスへの変更を遂行するためにはサービスインデックスが２Ｎ＋１であるプライマリサービスを通じてターゲットサービスに対する制御情報の獲得が必要であるが、グループ２に属するターゲットサービスへの変更は（追加的な制御情報の獲得動作なしに）すぐに可能である。
【００４０】
即ち、グループ間のサービス変更は、プライマリサービスのような追加的なサービスに対する復号を通じて、ターゲットサービスのためのスケジューリング情報を獲得しなければならない。しかしながら、同一のグループ内のサービス変更は、追加的なサービス受信の遂行なしにすぐにターゲットサービスの制御情報を獲得すれば良い。
【００４１】
また、各サービスが異なるサービスの制御情報を含む基本構成をそのまま維持しつつ、同一のシグナリングオーバーヘッド比率を仮定する。例えば、０．２５％以下のオーバーヘッド比率を満足させつつ支援可能な最大のサービスの数が４２個であると、本発明の第２の実施形態では３０個のサービスで構成される２個のグループを通じて総６０個のサービスが０．２５％以下のオーバーヘッド割合で支援することができる。具体的なオーバーヘッド量は、２＊３０＊（３０＊５０）＝９００００ビットであって、４２個のサービスが各サービスごとに全てのサービスの制御情報を含む場合の４２＊（４２＊５０）＝８８２００ビットに類似したオーバーヘッドを要求する。即ち、図７の構成は、シグナリング構成及びオーバーヘッドの観点でほぼ同一の仮定を有しつつ、４２個のサービスより１８個が更に多くサービスを支援できる。
【００４２】
図８は、本発明の第２の実施形態によるサービスの変更時に既存のサービスからターゲットサービスへの変更を示す。図８では、Ｐ２信号５０３〜５１１は、現在フレームに対する制御情報を含み、サービスデータに含まれた制御情報は、次のフレームに対するスケジューリング情報を示すと仮定する。そして、フレームｎ＋１、ｎ＋２のＰ２信号４０５、４０７に対する復号化は失敗したと仮定する。ここで、グループ当たりセカンダリサービスの数はＮ個である。
【００４３】
図８を参照すると、受信器は、現在受信中であるサービスと変更しようとするターゲットサービスとが同一のグループ内にある場合に、現在サービスがターゲットサービスの制御情報を含んでいるので、フレームｎでのサービス変換（５０１）が発生した場合にはすぐ次のフレームであるフレームｎ＋１でターゲットサービスの受信が可能である。即ち、フレームｎで現在サービスからのインバンドシグナリングを通じて獲得された制御情報が次のフレームに対する制御情報を示すため、受信器は、フレームｎ＋１で変更されたサービスをすぐに受信することができる。従って、２個のＰ２信号５０５、５０７に対する復号化が連続して失敗した場合、Ｐ２信号のみに依存する既存のシグナリング方式より２フレームを繰り上げたザッピング時間が達成できる。
【００４４】
そして、現在受信中であるサービスと変更しようとするターゲットサービスとがそれぞれ異なる２個のグループ内にある場合、受信器は、ターゲットサービスに対する制御情報を得るためにプライマリサービスを利用する。即ち、受信器は、フレームｎで既存サービスの復号を通じてプライマリサービスに対する制御情報を獲得し、フレームｎ＋１でプライマリサービスを受信してターゲットサービスに対する制御情報を獲得する。従って、フレームｎ＋２から変更されたサービスに対する受信が可能になる。従って、２個のＰ２信号５０５、５０７に対する復号が連続して失敗した場合、Ｐ２信号のみに依存する既存のシグナリング方式より１フレームを繰り上げたザッピング時間が達成できる。
【００４５】
図９は。本発明が適用される放送通信システムにおけるＰ２信号を伝送する送信器の動作を示す。
【００４６】
図９を参照すると、受信器が、受信中であるサービスから他のサービスに変更する場合、そのターゲットサービスに対する制御情報を獲得可能にするために、送信器は、データチャンネルと別途のチャンネルを通じて制御情報を含むＰ２信号を伝送する必要がある。従って、送信器は、ステップ６０２で、サービスに対するスケジューリング情報を示す制御情報を含むＰ２信号を構成し、Ｐ２信号をフレームに挿入する。ステップ６０４で、送信器は、Ｐ２信号が挿入されたフレームを受信器に伝送する。
【００４７】
図１０は、本発明が適用される放送通信システムにおけるＰ２信号を受信する受信器の動作を示す。
【００４８】
図１０を参照すると、ステップ７０２で、受信器は、現在フレームでサービスｎを受信する。その後、受信器は、ステップ７０４で、サービスｎの受信中にサービスの変更が発生したか否かを判定し、その結果、サービスの変更が発生した場合にはステップ７０６に進行する。受信器は、ステップ７０６で、次のフレームで変更されたサービスに対する制御情報を含むＰ２信号を獲得するためにＰ２信号の復号化を試みる。上記ステップ７０４の結果、サービスの変更が発生しない場合には、受信器は、ステップ７０２に進行して引続きサービスｎを受信する。
【００４９】
受信器は、ステップ７０８で、Ｐ２信号の復号化が成功したか否かを判定する。その結果、復号化に失敗した場合、受信器は、ステップ７０６に戻って次のフレームでＰ２信号の復号化を試みる。ステップ７０８で、Ｐ２信号の復号が成功すると、受信器は、復号化されたＰ２信号からターゲットサービスｍに対する制御情報を獲得し、ステップ７１０で、制御情報によって次のフレームでのターゲットサービスｍが伝送される位置で上記サービスｍを受信する。
【００５０】
図１１は、本発明の第１の実施形態による制御情報を伝送する送信器の動作を示す。図１１において、送信器は、図５及び図６に示したようにサービスデータに制御情報を含めて伝送する。
【００５１】
図１１を参照すると、送信器は、ステップ８０２で、プライマリサービスの個数Ｎ及びアンカーサービスのインデックスのようなフレーム構成に関連したパラメータを決定し、この決定されたパラメータを考慮してステップ８０４でＰ２信号を構成する。このとき、プライマリサービスの数Ｎは、送信器と受信器との間で指定された数に予め決定することができ、この場合、プライマリサービスの数Ｎに対するパラメータは、別にシグナリングしなくても良い。また、プライマリサービスのうち、どのサービスをアンカーサービスとして指定するかを決定することにおいても、送信器と受信器との間で相互に約束されたサービスのインデックスを使用する場合、これに対する情報は別にシグナリングしなくても良い。例えば、Ｎ個のプライマリサービスのインデックスをインデックス数のサイズ別に並べるとき、最初のインデックス又は最後のインデックス（図５でのアンカーサービスがこれに該当する）のサービスをアンカーサービスとして使用するように予め決定することができる。
【００５２】
送信器は、ステップ８０６で、図５で設定した基準に従ってサービス種類別に各サービスを含まなければならない他のサービスに対するスケジューリング情報を示す制御情報が各サービスデータに挿入される。ステップ８０８で、送信器は、Ｐ２信号及びサービスデータを含むフレームを構成して受信器に伝送する。
【００５３】
図１２は、本発明の第１の実施形態による制御情報を受信する受信器の動作を示す。図１２において、受信器は、図５及び図６に示した方式によってサービスデータに含まれた制御情報を受信する。
【００５４】
図１２を参照すると、受信器は、ステップ９０２で、サービスｎをフレームｎ（即ち、現在フレーム）で受信する。ステップ９０４で、受信器は、フレームｎでサービスの受信中に他のサービスにチャンネルを変更するサービス変更が発生したか否かを判定する。その結果、サービス変更が発生しなかった場合に、受信器は、ステップ９０２に戻り、継続して次のフレームでサービスｎを受信する。一方、サービス変更が発生した場合には、受信器は、ステップ９０６に進行して現在フレームでサービスｎに対する復号を完了する。その後に、受信器は、ステップ９０８で、送信器から伝送される全てのサービスの数を送信器と受信器との間で相互に約束され、或いは別途のシグナリングを通じて獲得されたプライマリサービスの個数Ｎと比較する。総サービスの数がプライマリサービスの数Ｎ以下である場合、受信器は、ステップ９１０で、現在フレームｎでターゲットサービスであるサービスｍに対する制御情報を獲得し、ステップ９１２で制御情報を用いてサービスｍを受信する。
【００５５】
一方、受信器は、ステップ９０８で、総サービスの数がプライマリサービス数Ｎより大きい場合には、ステップ９１４に進行し、復号化されたサービスｎを通じてアンカーサービスに対する制御情報を獲得する。また、受信器は、ステップ９１６で、アンカーサービスに対する制御情報を用いて次のフレーム（即ち、フレームｎ＋１）でアンカーサービスに対する復号化を遂行する。受信器は、ステップ９１８で、復号化されたアンカーサービスからサービスｍに対する制御情報を獲得する。その後、受信器は、ステップ９２０で、獲得した制御情報を用いて次のフレーム（即ち、フレームｎ＋２）でサービスｍを受信する。
【００５６】
図１３は、本発明の第２の実施形態による制御情報を伝送する送信器の動作を示す。図１３において、送信器は、図７及び図８に示した方式によってサービスデータに制御情報を含めで伝送する。
【００５７】
図１３を参照すると、送信器は、ステップ１００２で、グループ数、グループサイズＮ、及びプライマリサービスのインデックスのようなフレーム構成に関連したパラメータを決定する。送信器は、この決定されたパラメータを考慮して、ステップ１００４でＰ２信号を構成する。このとき、各グループを構成するサービスの数を示すグループサイズＮ及びグループ数は、送信器と受信器との間で指定された数に予め決定できる。この場合に、グループ数及びグループサイズに対するパラメータは、別にシグナリングしなくても良い。また、サービスのうち、どのサービスをプライマリサービスとして指定するかを決定することにおいても、送信器と受信器との間で相互に約束されたサービスインデックスを使用する場合、これに対する情報は別にシグナリングしなくても良い。例えば、２Ｎ＋１個のサービスインデックスをインデックスサイズ別に並べたとき、最初のインデックス又は最後のインデックス（図７でのプライマリサービスがこれに該当する）のサービスをプライマリサービスとして使用するように予め決定できる。
【００５８】
ステップ１００６で、図７で設定された基準に従ってサービス種類別に各サービスを含まなければならないサービスに対するスケジューリング情報を示す制御情報が各サービスデータに挿入される。即ち、プライマリサービスのサービスデータには全てのグループに属する全てのサービスに対する制御情報が含まれる。そして、各グループに属するセカンダリサービスのサービスデータには該当グループに属する全てのサービスに対する制御情報が含まれる。送信器は、ステップ１００８で、Ｐ２信号及び制御情報を含むサービスデータでフレームを構成して受信器に伝送する。
【００５９】
図１４は、本発明の第２の実施形態による制御情報を受信する受信器の動作を示す。図１４において、受信器は、図７及び図８に示した方式によってサービスデータに含まれた制御情報を受信する。
【００６０】
図１４を参照すると、受信器は、ステップ１１０２で、サービスｎをフレームｎ（現在フレーム）で受信する。ステップ１１０４で、受信器は、フレームｎでサービスの受信中に他のサービスにチャンネルを変更するサービス変更が発生したが否かを判定する。その結果、サービス変更が発生しなかった場合、受信器は、ステップ１１０２に戻り、継続して次のフレームでサービスｎを受信する。一方、サービス変更が発生した場合には、受信器は、ステップ１１０６に進行して現在フレームでサービスｎに対する復号を完了する。その後に、ステップ１１０８で、受信器は、新たに受信しなければならないターゲットサービスであるサービスｍがサービスｎと同一のグループ内に存在するか否かを判定する。受信器は、ステップ１１０８で、ターゲットサービスが同一のグループ内に存在すると、ステップ１１１０で、現在フレームでサービスｍに対する制御情報を獲得する。すると、受信器は、ステップ１１１２で、この制御情報を用いて次のフレーム（フレームｎ＋１）でサービスｍを受信する。
【００６１】
一方、受信器は、ステップ１１０８で、サービスｍがサービスｎとは異なるグループに存在すると判断されると、ステップ１１１４で、サービスｎの復号化を通じてプライマリサービスに対する制御情報を獲得する。受信器は、ステップ１１１６で、上記制御情報を用いて次のフレーム（即ち、フレームｎ＋１）でプライマリサービスに対する復号化を遂行する。受信器は、ステップ１１１８で復号化されたプライマリサービスからサービスｍに対する制御情報を獲得し、ステップ１１２０で制御情報を用いて次のフレーム（即ち、フレームｎ＋２）でサービスｍを受信する。
【００６２】
図１５は、本発明の第１の実施形態による送信器の構成を示す。図１５には、図１１による動作を遂行するための構成を示す。
【００６３】
図１５を参照すると、アンカーサービスインデックス決定器１２０２とプライマリサービス数決定器１２０４を通じて決定されるパラメータを用いてＰ２信号生成器１２０６でＰ２信号を生成する。アンカーサービス制御情報挿入器１２１２は、アンカーサービスインデックス決定器１２０２とプライマリサービス数決定器１２０４から入力された情報とサービス制御情報生成器１２０８及びサービスデータ生成器１２１０から入力された情報とを用いてアンカーサービスに載せる制御情報をアンカーサービスのサービスデータに挿入する。ここで、サービス制御情報生成器１２０８は、アンカーサービスのために全てのサービスに対するスケジューリング情報を示す制御情報を生成する。
【００６４】
一方、プライマリサービス制御情報挿入器１２１４は、プライマリサービス数決定器１２０４、サービス制御情報生成器１２０８、及びサービスデータ生成器１２１０からの入力を用いてプライマリサービスに載せる制御情報をプライマリサービスのデータに挿入する。プライマリサービスのためにサービス制御情報生成器１２０８は、全てのプライマリサービスに対するスケジューリング情報を示す制御情報を生成する。最後に、セカンダリサービス制御情報挿入器１２１６は、アンカーサービスインデックス決定器１２０２、サービス制御情報生成器１２０８、及びサービスデータ生成器１２１０からの入力を用いてセカンダリサービスに載せる制御情報をセカンダリサービスのデータに挿入する。サービス制御情報生成器１２０８は、セカンダリサービスのために該当セカンダリサービス及びアンカーサービスに対するスケジューリング情報を示す制御情報を生成する。
【００６５】
ＦＦ／ＴＦＳフレーム構成器１２１８は、制御情報が挿入された全てのサービスのサービスデータをＰ２信号と一緒にＦＦ又はＴＦＳフレームで構成する。フレーム伝送器１２２０は、構成されたＦＦ又はＴＦＳフレームを受信器に伝送する。
【００６６】
図１６は、本発明の第２の実施形態による送信器の構成を示す。図１６には、図１３による動作を遂行するための構成を示す。
【００６７】
図１６を参照すると、Ｐ２信号生成器１３０６は、プライマリサービスインデックス決定器１３０４とグループ数及びグループサイズ決定器１３０２を通じて決定されたパラメータを用いてＰ２信号を生成する。プライマリサービス制御情報挿入器１３１２は、プライマリサービスインデックス決定器１３０４からの入力情報とサービス制御情報生成器１３０８及びサービスデータ生成器１３１０からの入力情報とを用いてプライマリサービスに載せる制御情報をプライマリサービスのサービスデータに挿入する。サービス制御情報生成器１３０８は、プライマリサービスのために該当プライマリサービスを含む全てのサービスに対するスケジューリング情報を示す制御情報を生成する。
【００６８】
一方、セカンダリサービス制御情報挿入器１３１４は、グループ数及びグループサイズ決定器１３０４、サービス制御情報生成器１３０８、及びサービスデータ生成器１３１０からの入力を用いてセカンダリサービスに載せる制御情報をセカンダリサービスのデータに挿入する。サービス制御情報生成器１３０８は、各セカンダリサービスのために各セカンダリサービスが属するグループ内の全てのサービス（即ち、該当グループ内の全てのセカンダリサービスとプライマリサービス）に対するスケジューリング情報を生成する。
【００６９】
そして、ＦＦ／ＴＦＳフレーム構成器１３１８は、制御情報が挿入された全てのサービスのサービスデータをＰ２信号と一緒にＦＦ又はＴＦＳフレームで構成する。フレーム伝送器１３２０は、構成されたＦＦ又はＴＦＳフレームを受信器に伝送する。
【００７０】
図１７は、本発明による受信器の構成を示す。
【００７１】
図１７を参照すると、フレーム受信器１４０６は、送信器から伝送されたフレームを受信してサービスデコーダ１４０４に伝送し、サービス変更判定器１４０２は、該当フレームでサービスを受信中にターゲットサービスへのサービス変更が発生するか否かを判定する。
【００７２】
図１２で説明した第１の実施形態の場合、サービスデコーダ１４０４は、現在フレームでのサービスを復号化し、この復号されたサービスからアンカーサービス又はターゲットサービスに対する制御情報を獲得する。総サービス数がプライマリサービスの数を超過した場合に、サービスデコーダ１４０４は、獲得したアンカーサービスに対する制御情報を用いてアンカーサービスを復号化した後に、復号化されたアンカーサービスからターゲットサービスに対する制御情報を獲得する。すると、サービスデコーダ１４０４は、ターゲットサービスに対する制御情報を用いてターゲットサービスを受信する。
【００７３】
図１４で説明した第２の実施形態の場合、サービスデコーダ１４０４は、現在フレームでのサービスを復号化し、復号化されたサービスからプライマリサービス又はターゲットサービスに対する制御情報を獲得する。現在、サービスが属しているグループとは異なるグループ内にターゲットサービスが属する場合、サービスデコーダ１４０４は、プライマリサービスに対する制御情報を用いてプライマリサービスを復号化した後に、復号化されたプライマリサービスからターゲットサービスに対する制御情報を獲得する。すると、サービスデコーダ１４０４は、ターゲットサービスに対する制御情報を用いてターゲットサービスを受信する。
【００７４】
以上、本発明の詳細な説明において具体的な実施形態に関して説明したが、特許請求の範囲を外れない限り、様々な変更が可能であることは、当該技術分野における通常の知識を持つ者には明らかである。従って、本発明の範囲は、上述の実施形態に限定されるものではなく、特許請求の範囲の記載及びこれと均等なものに基づいて定められるべきである。
【符号の説明】
【００７５】
１０２、２０２    送信器
１０４、２０４    受信器
４１０    プライマリサービス
４１０ａ    アンカーサービス
４３０    セカンダリサービス
５１０    セカンダリサービス（グループ１）
５１０ａ    プライマリサービス
５３０    セカンダリサービス（グループ２）
１２０２    アンカーサービスインデックス決定器
１２０４    プライマリサービス数決定器
１２０６、１３０６    Ｐ２信号生成器
１２０８、１３０８    サービス制御情報生成器
１２１０、１３１０    サービスデータ生成器
１２１２    アンカーサービス制御情報挿入器
１２１４、１３１２    プライマリサービス制御情報挿入器
１２１６、１３１４    セカンダリサービス制御情報挿入器
１２１８、１３１８    ＦＦ／ＴＦＳフレーム構成器
１２２０、１３２０    フレーム伝送器
１３０２    グループ数及びグループサイズ決定器
１３０４    プライマリサービスインデックス決定器
１４０２    サービス変更判定器
１４０４    サービスデコーダ
１４０６    フレーム受信器
【図１】
2011509623.tif 000003
【図２】
2011509623.tif 000004
【図３】
2011509623.tif 000005
【図４】
2011509623.tif 000006
【図５】
2011509623.tif 000007
【図６】
2011509623.tif 000008
【図７】
2011509623.tif 000009
【図８】
2011509623.tif 000010
【図９】
2011509623.tif 000011
【図１０】
2011509623.tif 000012
【図１１】
2011509623.tif 000013
【図１２】
2011509623.tif 000014
【図１３】
2011509623.tif 000015
【図１４】
2011509623.tif 000016
【図１５】
2011509623.tif 000017
【図１６】
2011509623.tif 000018
【図１７】
2011509623.tif 000019
【国際調査報告】
2011509623.tif 000020
2011509623.tif 000021
2011509623.tif 000022
2011509623.tif 000023